(57)【要約】      （修正有）【課題】架空地線がアームから脱落しても配電線の架設位置まで落下することを防止する架空地線落下防止装置を提供する。【解決手段】電柱１の上端から上方向に延伸するアーム６に架設されている架空地線３が、電柱に架設されている配電線２Ｕ、２Ｖ、２Ｗの位置まで落下することを防止する架空地線落下防止装置１０は、架空地線の架設位置と配電線の架設位置との間に存在するアームの外周面に沿って固定される固定具と、アームの外周面及び固定具から離れる方向に延伸し、アームから脱落した架空地線を保持する保持体と、を備える。【選択図】図７
2018074736.tif 000002
【特許請求の範囲】
【請求項１】
架空地線が電柱に架設されている配電線の位置まで落下することを防止する架空地線落下防止装置であって、
前記電柱の上端から上方向に延伸し、前記架空地線が架設されるアームと、
前記架空地線の架設位置と前記配電線の架設位置との間に存在する前記アームの外周面から離れる方向に延伸し、前記アームから脱落した前記架空地線を保持する保持体と、
を備えたことを特徴とする架空地線落下防止装置。
【請求項２】
前記保持体は、前記アームの外周面から斜め上方向に放射状に延伸する複数の保持片を有し、
前記保持片は、前記保持片上に落下した前記架空地線が前記保持片から更に落下しないように、前記アームの外周面とは反対側の端部から折り返す折返片を有する
ことを特徴とする請求項１に記載の架空地線落下防止装置。
【請求項３】
前記折返片は、前記架空地線が前記折返片上に落下すると、前記架空地線を前記保持片上に案内するように弾性力に抗して変形する
ことを特徴とする請求項２に記載の架空地線落下防止装置。
【請求項４】
電柱の上端から上方向に延伸するアームに架設されている架空地線が、前記電柱に架設されている配電線の位置まで落下することを防止する架空地線落下防止装置であって、
前記架空地線の架設位置と前記配電線の架設位置との間に存在する前記アームの外周面に沿って固定される固定具と、
前記アームの外周面及び前記固定具から離れる方向に延伸し、前記アームから脱落した前記架空地線を保持する保持体と、
を備えたことを特徴とする架空地線落下防止装置。
【請求項５】
前記保持体は、前記固定具に対して斜め上方向に放射状に延伸する複数の保持片を有し、
前記保持片は、前記保持片上に落下した前記架空地線が前記保持片から更に落下しないように、前記アームの外周面とは反対側の端部から折り返す折返片を有する
ことを特徴とする請求項４に記載の架空地線落下防止装置。
【請求項６】
前記折返片は、前記架空地線が前記折返片上に落下すると、前記架空地線を前記保持片上に案内するように弾性力に抗して変形する
ことを特徴とする請求項５に記載の架空地線落下防止装置。
【発明の詳細な説明】
【技術分野】
【０００１】
本発明は、架空地線落下防止装置に関する。
【背景技術】
【０００２】
電柱に架設された配電線を直撃雷から保護する避雷設備として、電柱における配電線の架設位置よりも高い位置に、接地線と接続された架空地線を架設することが知られている（特許文献１を参照）。
【先行技術文献】
【特許文献】
【０００３】
【特許文献１】特開平８−７０２１３号公報
【発明の概要】
【発明が解決しようとする課題】
【０００４】
例えば、架空地線は、電柱の最上端から上方向に延伸するアームにピン碍子を介して固定されている。しかし、風雨、振動等の外的要因や経年劣化に伴って、アームにピン碍子を固定するための金具に装着されているボルトが緩んで外れる場合がある。この場合、架空地線がアームから脱落して配電線に接触し、停電を引き起こす虞があった。
【０００５】
そこで、本発明は、架空地線がアームから脱落しても配電線の架設位置まで落下することを防止する架空地線落下防止装置を提供することを目的とする。
【課題を解決するための手段】
【０００６】
前述した課題を解決する主たる本発明は、電柱の上端から上方向に延伸するアームに架設されている架空地線が、前記電柱に架設されている配電線の位置まで落下することを防止する架空地線落下防止装置であって、前記架空地線の架設位置と前記配電線の架設位置との間に存在する前記アームの外周面に沿って固定される固定具と、前記アームの外周面及び前記固定具から離れる方向に延伸し、前記アームから脱落した前記架空地線を保持する保持体と、を備える。
【０００７】
本発明の他の特徴については、添付図面及び本明細書の記載により明らかとなる。
【発明の効果】
【０００８】
本発明によれば、架空地線がアームから脱落しても配電線の架設位置まで落下しないようにすることが可能になる。
【図面の簡単な説明】
【０００９】
【図１】配電線及び架空地線が架設された電柱の一例を示す斜視図である。
【図２】第１実施形態に係る架空地線落下防止装置を構成する一方の部品を示す斜視図である。
【図３】第１実施形態に係る架空地線落下防止装置を構成する他方の部品を示す斜視図である。
【図４】第１実施形態に係る架空地線落下防止装置がアームに装着された状態であって、電柱の最上端から真下を眺めた様子を示す平面図である。
【図５】第１実施形態に係る架空地線落下防止装置がアームに装着された状態であって、図４のＡ−Ａ線から眺めた様子を示す側断面図である。
【図６】第１実施形態に係る架空地線落下防止装置がアームに装着される様子を示す分解斜視図である。
【図７】第１実施形態に係る架空地線落下防止装置が装着された電柱の一例を示す斜視図である。
【図８】第１実施形態に係る架空地線落下防止装置がアームから脱落した架空地線を保持した様子を示す斜視図である。
【図９】第１実施形態に係る架空地線落下防止装置に架空地線が落下した様子を示す側断面図である。
【図１０】第１実施形態に係る架空地線落下防止装置に架空地線が落下した他の様子を示す側断面図である。
【図１１】第２実施形態に係る架空地線落下防止装置を示す斜視図である。
【発明を実施するための形態】
【００１０】
本明細書および添付図面の記載により、少なくとも以下の事項が明らかとなる。
【００１１】
［第１実施形態］
＝＝＝配電線及び架空地線が架設された電柱の一例＝＝＝
図１は、配電線及び架空地線が架設された電柱の一例を示す斜視図である。
【００１２】
電柱１は、例えばコンクリートを用いて形成される円柱形状を呈する長尺体であって、例えば３相の配電線２Ｕ，２Ｖ，２Ｗと架空地線３とを架設するために、垂直方向に沿って植設されている。腕金４は、例えば四角柱形状を呈する長尺体であって、配電線２Ｕ，２Ｖ，２Ｗを架設するために、電柱１に対して水平方向に沿って固定されている。碍子５Ｕ，５Ｖ，５Ｗは、配電線２Ｕ，２Ｖ，２Ｗと腕金４との間を絶縁するために、腕金４に対して水平方向に沿って一定の間隔を空けながら固定されている。そして、配電線２Ｕ，２Ｖ，２Ｗは、隣り合って植設される各電柱１の碍子５Ｕ，５Ｖ，５Ｗに対して、一定の弛みを持って固定されている。こうして、配電線２Ｕ，２Ｖ，２Ｗは、水平方向に３列に並んだ状態で架設されることとなる。
【００１３】
アーム６は、例えば円柱形状を呈する長尺体であって、架空地線３を架設するために、電柱１に対して、電柱１の最上端から更に上方向に延伸するように固定されている。金具７は、架空地線３を架設するための留め具であって、アーム６の上部に固定されている。ピン碍子８は、架空地線３と金具７との間を絶縁するために、金具７に対してボルト７Ａを用いて固定されている。架空地線３は、ピン碍子８の溝部に対してバインド線８Ａを巻き付けることによって固定され、更に、隣り合って植設される各電柱１のピン碍子８に対して一定の弛みを持って固定されている。こうして、架空地線３は、配電線２Ｕ，２Ｖ，２Ｗの架設位置よりも高い位置に架設されることとなる。尚、架空地線３は、例えば電柱１の中空内部を通って接地される接地線９と接続されている。
【００１４】
＝＝＝架空地線落下防止装置＝＝＝
図２は、第１実施形態に係る架空地線落下防止装置を構成する一方の部品を示す斜視図である。図３は、第１実施形態に係る架空地線落下防止装置を構成する他方の部品を示す斜視図である。図４は、第１実施形態に係る架空地線落下防止装置がアームに装着された状態であって、電柱の最上端から真下を眺めた様子を示す平面図である。図５は、第１実施形態に係る架空地線落下防止装置がアームに装着された状態であって、図４のＡ−Ａ線から眺めた様子を示す側断面図である。図６は、第１実施形態に係る架空地線落下防止装置がアームに装着される様子を示す分解斜視図である。
【００１５】
架空地線落下防止装置１０は、金具７に留めてあるボルト７Ａが風雨、振動等の外的要因や経年劣化の影響を受けて外れてしまい、架空地線３がピン碍子８とともにアーム６から脱落した場合であっても、架空地線３が配電線２Ｕ，２Ｖ，２Ｗの架設位置まで落下することを防止する装置である。架空地線落下防止装置１０は、上記の機能を実現するために、架空地線３の架設位置と配電線２Ｕ，２Ｖ，２Ｗの架設位置との間の何れかの高さ位置において、アーム６に装着される。具体的には、架空地線落下防止装置１０は、架空地線３の重量及び弛み具合、アーム６の形状に伴う重心の位置等を考慮した結果、架空地線３が配電線２Ｕ，２Ｖ，２Ｗに接触する可能性が最も低いとされるアーム６の位置に装着される。例えば、架空地線落下防止装置１０は、架空地線３の架設位置と配電線２Ｕ，２Ｖ，２Ｗの架設位置との間の中間位置又は当該中間位置よりも高い位置においてアーム６に装着されることとする。
【００１６】
架空地線落下防止装置１０は、既設のアーム６の外周面に対しても装着できるように、２分割された装着体から構成されている。具体的には、架空地線落下防止装置１０は、アーム６の外周面のうち、一方の半周面を覆うように装着される第１装着体１０Ａと、他方の半周面を覆うように装着される第２装着体１０Ｂと、を含んで構成されている。尚、本実施形態において、第１装着体１０Ａと第２装着体１０Ｂは、架空地線落下防止装置１０の生産性を考慮して、同一構造を有するとともに同一形状を呈していることとする。
【００１７】
＜＜第１装着体＞＞
第１装着体１０Ａは、被覆板１０１、取付板１０２，１０３、保持片１０４，１０５、折返片１０６，１０７が一体となって構成されている。
【００１８】
被覆板１０１は、アーム６の外周面のうち一方の半周面を覆う曲面形状を呈する板部材である。取付板１０２は、被覆板１０１をアーム６に固定するために、被覆板１０１の一方の端面１０８を起点として両方の端面１０８，１０９から離れる方向に延伸する平板形状を呈する板部材である。取付板１０２は、ボルト１１０を挿入するための孔１１１を有している。同様に、取付板１０３は、被覆板１０１をアーム６に固定するために、被覆板１０１の他方の端面１０９を起点として両方の端面１０８，１０９から離れる方向に延伸する平板形状を呈する板部材である。取付板１０３は、ボルト１１２を挿入するための孔１１３を有している。そして、第２装着体１０Ｂと対向する取付板１０２，１０３の面は、同一平面上に形成されて面一となっている。つまり、上記の被覆板１０１及び取付板１０２，１０３が架空地線落下防止装置１０をアーム６に固定するための固定具として機能する。
【００１９】
保持片１０４は、アーム６から脱落した架空地線３を配電線２Ｕ，２Ｖ，２Ｗの架設位置よりも高い位置で受け止めるために、被覆板１０１の取付板１０２に近い側であってアーム６とは対向しない側の外周面から斜め上方向に延伸する長尺状の片である。折返片１０６は、保持片１０４よりも短い片であって、保持片１０４におけるアーム６の外周面とは反対側の端部を起点として、アーム６の外周面に向かって保持片１０４の上側に折り返す片である。折返片１０６は、折返片１０６におけるアーム６の外周面とは反対側の端部を軸１１４として、保持片１０４の上側から離れる方向にバネ部材（不図示）によって弾性付勢されている。同様に、保持片１０５は、アーム６から脱落した架空地線３を配電線２Ｕ，２Ｖ，２Ｗの架設位置よりも高い位置で受け止めるために、被覆板１０１の取付板１０３に近い側であってアーム６とは対向しない側の外周面から斜め上方向に延伸する長尺状の片である。折返片１０７は、保持片１０５よりも短い片であって、保持片１０５におけるアーム６の外周面とは反対側の端部を起点として、アーム６の外周面に向かって保持片１０５の上側に折り返す片である。折返片１０７は、折返片１０７におけるアーム６の外周面とは反対側の端部を軸１１５として、保持片１０５の上側から離れる方向にバネ部材（不図示）によって弾性付勢されている。そして、保持片１０４，１０５は、第１装着体１０Ａがアーム６に装着された状態においてアーム６の中心軸から放射状に延伸するように設けられている。つまり、上記の保持片１０４，１０５及び折返片１０６，１０７が架空地線３を保持するための保持体として機能する。
【００２０】
第１装着体１０Ａは例えばステンレス合金綱を用いて形成され、被覆板１０１と保持片１０５，１０６とは溶接によって結合されていることとする。
【００２１】
＜＜第２装着体＞＞
第２装着体１０Ｂは、被覆板２０１、取付板２０２，２０３、保持片２０４，２０５、折返片２０６，２０７が一体となって構成されている。
【００２２】
被覆板２０１は、アーム６の外周面のうち他方の半周面を覆う曲面形状を呈する板部材である。取付板２０２は、被覆板２０１をアーム６に固定するために、被覆板２０１の一方の端面２０８を起点として両方の端面２０８，２０９から離れる方向に延伸する平板形状を呈する板部材である。取付板２０２は、ボルト１１２を挿入するための孔２１１を有している。同様に、取付板２０３は、被覆板２０１をアーム６に固定するために、被覆板２０１の他方の端面２０９を起点として両方の端面２０８，２０９から離れる方向に延伸する平板形状を呈する板部材である。取付板２０３は、ボルト１１０を挿入するための孔２１３を有している。そして、第１装着体１０Ａと対向する取付板２０２，２０３の面は、同一平面上に形成されて面一となっている。つまり、上記の被覆板２０１及び取付板２０２，２０３が架空地線落下防止装置１０をアーム６に固定するための固定具として機能する。
【００２３】
保持片２０４は、アーム６から脱落した架空地線３を配電線２Ｕ，２Ｖ，２Ｗの架設位置よりも高い位置で受け止めるために、被覆板２０１の取付板２０２に近い側であってアーム６とは対向しない側の外周面から斜め上方向に延伸する長尺状の片である。折返片２０６は、保持片２０４よりも短い片であって、保持片２０４におけるアーム６の外周面とは反対側の端部を起点として、アーム６の外周面に向かって保持片２０４の上側に折り返す片である。折返片２０６は、折返片２０６におけるアーム６の外周面とは反対側の端部を軸２１４として、保持片２０４の上側から離れる方向にバネ部材（不図示）によって弾性付勢されている。同様に、保持片２０５は、アーム６から脱落した架空地線３を配電線２Ｕ，２Ｖ，２Ｗの架設位置よりも高い位置で受け止めるために、被覆板２０１の取付板２０３に近い側であってアーム６とは対向しない側の外周面から斜め上方向に延伸する長尺状の片である。折返片２０７は、保持片２０５よりも短い片であって、保持片２０５におけるアーム６の外周面とは反対側の端部を起点として、アーム６の外周面に向かって保持片２０５の上側に折り返す片である。折返片２０７は、折返片２０７におけるアーム６の外周面とは反対側の端部を軸２１５として、保持片２０５の上側から離れる方向にバネ部材（不図示）によって弾性付勢されている。そして、保持片２０４，２０５は、第２装着体１０Ｂがアーム６に装着された状態においてアーム６の中心軸から放射状に延伸するように設けられている。つまり、上記の保持片２０４，２０５及び折返片２０６，２０７が架空地線３を保持するための保持体として機能する。
【００２４】
第２装着体１０Ｂは例えばステンレス合金綱を用いて形成され、被覆板２０１と保持片２０５，２０６とは溶接によって結合されていることとする。
【００２５】
＜＜第１装着体及び第２装着体の取付＞＞
先ず、被覆板１０１がアーム６の一方の半周面を覆うように第１装着体１０Ａをアーム６に押し当て、被覆板２０１がアーム６の他方の半周面を覆うように第２装着体１０Ｂをアーム６に押し当てる。そして、第１装着体１０Ａの取付板１０２と第２装着体１０Ｂの取付板２０３とが対向し、第１装着体１０Ａの取付板１０３と第２装着体１０Ｂの取付板２０２とが対向するように、第１装着体１０Ａと第２装着体１０Ｂとでアーム６を挟む。
【００２６】
次に、取付板１０２の孔１１１及び取付板２０３の孔２１３にボルト１１０を挿入し、ナット１１６に螺合させて締め付ける。又、取付板１０３の孔１１３及び取付板２０２の孔２１１にボルト１１２を挿入し、ナット１１７に螺合させて締め付ける。上記の取付操作によって、被覆板１０１，２０１の内周面がアーム６の外周面に密着するため、第１装着体１０Ａ及び第２装着体１０Ｂはアーム６に確実に固定されることとなる。
【００２７】
＝＝＝架空地線落下防止装置の動作＝＝＝
図７は、第１実施形態に係る架空地線落下防止装置が装着された電柱の一例を示す斜視図である。図８は、第１実施形態に係る架空地線落下防止装置がアームから脱落した架空地線を保持した様子を示す斜視図である。図９は、第１実施形態に係る架空地線落下防止装置に架空地線が落下した状態を図４のＢ−Ｂ線から眺めた様子を示す側断面図である。図１０は、第１実施形態に係る架空地線落下防止装置に架空地線が落下した他の状態を図４のＢ−Ｂ線から眺めた様子を示す側断面図である。
【００２８】
先ず、金具７に取り付けられているボルト７Ａが風雨、振動等の外的要因や経年劣化に伴って外れてしまった場合を想定する。この場合、ピン碍子８が金具７に支持されなくなるため、架空地線３は、ピン碍子８とともにアーム６から脱落し、配電線２Ｕ，２Ｖ，２Ｗの架設位置に向かって落下することとなる。
【００２９】
しかし、配電線２Ｕ，２Ｖ，２Ｗの架設位置よりも高い位置において、架空地線落下防止装置１０がアーム６に装着されているため、架空地線３は、配電線２Ｕ，２Ｖ，２Ｗの架設位置まで落下することなく、例えば第１装着体１０Ａの保持片１０４，１０５又は第２装着体１０Ｂの保持片２０４，２０５の上に落下して受け止められることとなる。
【００３０】
例えば架空地線３が第１装着体１０Ａの保持片１０４，１０５の上に落下する場合について、具体的に説明する。
【００３１】
先ず、架空地線３は、保持片１０４，１０５よりも上側にある折返片１０６，１０７の上に落下する（図９）。
【００３２】
次に、折返片１０６は、架空地線３が落下してくることによって、折返片１０６の先端が保持片１０４に近づくように弾性力に抗して回動し、折返片１０６の上面は、アーム６の外周面に向かうにつれて下方向に傾斜する。同様に、折返片１０７も、架空地線３が落下してくることによって、折返片１０７の先端が保持片１０５に近づくように弾性力に抗して回動し、折返片１０７の上面も、アーム６の外周面に向かうにつれて下方向に傾斜する（図９）。
【００３３】
次に、架空地線３は、自重によって折返片１０６，１０７の上面を伝わりながら保持片１０４，１０５の上に落下する（図１０）。
【００３４】
次に、折返片１０６は、架空地線３が保持片１０４の上に落下することによって、折返片１０６の先端が保持片１０４から離れるように弾性力に従って回動し、折返片１０６の上面は、実質的に水平な状態で安定する。同様に、折返片１０７も、架空地線３が保持片１０５の上に落下することによって、折返片１０７の先端が保持片１０５から離れるように弾性力に従って回動し、折返片１０７の上面は、実質的に水平な状態で安定する。
【００３５】
このように、アーム６から脱落して落下してくる架空地線３は、保持片１０４，１０５の上に確実に案内される。又、架空地線３は、保持片１０４及び折返片１０６で囲まれた領域と、保持片１０５及び折返片１０７で囲まれた領域と、に案内されるため、架空地線落下防止装置１０から更に落下する虞はない。従って、架空地線３がアーム６から脱落しても配電線２Ｕ，２Ｖ，２Ｗの架設位置まで落下しなくなるため、架空地線３が配電線２Ｕ，２Ｖ，２Ｗに接触して停電を引き起こす問題は解消されることとなる。架空地線３が第２装着体１０Ｂの保持片２０４，２０５の上に落下する場合についても同様である。
【００３６】
尚、第１実施形態において、第１装着体１０Ａ及び第２装着体１０Ｂがそれぞれ保持片を有することとして説明したが、これに限定されない。例えば、架空地線３が、第１装着体１０Ａ又は第２装着体１０Ｂの何れか一方の側に落下する可能性が高い場合、第１装着体１０Ａ又は第２装着体１０Ｂの何れか他方の側に保持片を設けなくてもよい。又、第１実施形態において、第１装着体１０Ａ及び第２装着体１０Ｂがそれぞれ２個の保持片を有することとして説明したが、これに限定されない。例えば、架空地線３の架設状況に応じて、第１装着体１０Ａ及び第２装着体１０Ｂにそれぞれ１個又は３個以上の保持片を設けてもよい。又、第１実施形態において、第１装着体１０Ａ及び第２装着体１０Ｂがそれぞれアーム６の中心から放射状に延伸する保持片を有することとして説明したが、これに限定されない。例えば、第１装着体１０Ａ及び第２装着体１０Ｂにそれぞれ保持片の代わりに架空地線３を受け止めることが可能な鍔片を設けてもよい。
【００３７】
以上説明したように、第１実施形態に係る架空地線落下防止装置１０は、電柱１の上端から上方向に延伸するアーム６に架設されている架空地線３が、電柱１に架設されている配電線２Ｕ，２Ｖ，２Ｗの位置まで落下することを防止する装置であって、
架空地線３の架設位置と配電線２Ｕ，２Ｖ，２Ｗの架設位置との間に存在するアーム６の外周面に沿って固定される固定具１０１〜１０３，２０１〜２０３と、アーム６の外周面及び固定具１０１〜１０３から離れる方向に延伸し、アームから脱落した架空地線３を保持する保持体１０４〜１０７，２０４〜２０７と、を備える。
【００３８】
又、第１実施形態に係る架空地線落下防止装置１０において、保持体は、固定具１０１，２０１に対して斜め上方向に放射状に延伸する保持片１０４，１０５，２０４，２０５を有し、保持片１０４，１０５，２０４，２０５は、保持片１０４，１０５，２０４，２０５上に落下した架空地線３が保持片１０４，１０５，２０４，２０５から更に落下しないように、アーム６の外周面とは反対側の端部から折り返す折返片１０６，１０７，２０６，２０７を有する。
【００３９】
又、第１実施形態に係る架空地線落下防止装置１０において、折返片１０６，１０７，２０６，２０７は、架空地線３が折返片１０６，１０７，２０６，２０７上に落下すると、架空地線３を保持片１０４，１０５，２０４，２０５上に案内するように弾性力に抗して変形する。
【００４０】
第１実施形態によれば、架空地線３がアーム６から脱落しても配電線２Ｕ，２Ｖ，２Ｗの架設位置まで落下しないようにすることが可能になる。
【００４１】
［第２実施形態］
図１１は、第２実施形態に係る架空地線落下防止装置を示す斜視図である。
【００４２】
第２実施形態に係る架空地線落下防止装置２０は、架空地線３を架設するためのアーム６に対して、第１実施形態に係る保持片１０４，１０５，２０４，２０５及び折返片１０６，１０７，２０６，２０７を一体的に設けた装置である。従って、架空地線落下防止装置２０は、電柱１に対してアーム６を新設する場合や交換する場合に有益となる。
【００４３】
以上説明したように、第２実施形態に係る架空地線落下防止装置２０は、架空地線３が電柱１に架設されている配電線２Ｕ，２Ｖ，２Ｗの位置まで落下することを防止するために、電柱１の上端から上方向に延伸し、架空地線が架設されるアーム６と、架空地線３の架設位置と配電線２Ｕ，２Ｖ，２Ｗの架設位置との間に存在するアーム６の外周面から離れる方向に延伸し、アームから脱落した架空地線３を保持する保持体１０４〜１０７，２０４〜２０７と、を備える。
【００４４】
又、第２実施形態に係る架空地線落下防止装置２０において、保持体は、アーム６の外周面から斜め上方向に放射状に延伸する保持片１０４，１０５，２０４，２０５を有し、保持片１０４，１０５，２０４，２０５は、それぞれ、保持片１０４，１０５，２０４，２０５上に落下した架空地線３が保持片１０４，１０５，２０４，２０５から更に落下しないように、アーム６の外周面とは反対側の端部から折り返す折返片１０６，１０７，２０６，２０７を有する。
【００４５】
又、第２実施形態に係る架空地線落下防止装置２０において、折返片１０６，１０７，２０６，２０７は、架空地線３が折返片１０６，１０７，２０６，２０７上に落下すると、架空地線３を保持片１０４，１０５，２０４，２０５上に案内するように弾性力に抗して変形する。
【００４６】
第２実施形態によれば、架空地線３がアーム６から脱落しても配電線２Ｕ，２Ｖ，２Ｗの架設位置まで落下しないようにすることが可能になる。
【００４７】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４８】
１  電柱
２Ｕ，２Ｖ，２Ｗ  配電線
３  架空地線
４  腕金
５Ｕ，５Ｖ，５Ｗ  碍子
６  アーム
７  金具
７Ａ  ボルト
８  ピン碍子
８Ａ  バインド線
９  接地線
１０，２０  架空地線落下防止装置
１０Ａ  第１装着体
１０Ｂ  第２装着体
１０１，２０１  被覆板
１０２，１０３，２０２，２０３  取付板
１０４，１０５，２０４，２０５  保持片
１０６，１０７，２０６，２０７  折返片
１１０，１１２  ボルト
１１１，１１３，２１１，２１３  孔
１１４，１１５，２１４，２１５  軸
１１６，１１７  ナット
【図１】
2018074736.tif 000003
【図２】
2018074736.tif 000004
【図３】
2018074736.tif 000005
【図４】
2018074736.tif 000006
【図５】
2018074736.tif 000007
【図６】
2018074736.tif 000008
【図７】
2018074736.tif 000009
【図８】
2018074736.tif 000010
【図９】
2018074736.tif 000011
【図１０】
2018074736.tif 000012
【図１１】
2018074736.tif 000013